(57)【要約】【課題】エレベータシステムにおいて、送風装置の起動開始のときに埃のない状態のフィルタとすることを可能とすることである。【解決手段】エレベータシステム１０において、乗りかご２の上に設けられるシロッコファン２１と、吹出口２０４にそのフィルタ面が設けられるロールフィルタ部２２と、ロールフィルタ部の巻き取りを行うために駆動される巻取駆動部２６と、シロッコファン２１を起動させるための起動開始信号に基づいて、予め定めた所定時間を経過させた後にシロッコファン２１を起動させる遅延処理部２４と、シロッコファン２１の起動開始信号に基づいて予め定めた所定時間以内にロールフィルタ部２２を任意の長さ分巻き取って停止するように巻取駆動部２６に対して制御信号を与える制御信号生成部を備える。【選択図】図１
2010247935.tif 000002
【特許請求の範囲】
【請求項１】
乗りかごの上に設けられる送風装置と、
一方側から巻き取ることで新しいフィルタ面を繰り出すロールフィルタであって、送風装置によって送風される風を乗りかご内に吹き出す吹出口にそのフィルタ面が設けられるロールフィルタと、
ロールフィルタを巻き取るために駆動する巻取駆動部と、
送風装置を起動させるための起動開始信号に基づいて、予め定めた所定時間を経過させた後に送風装置を起動させる遅延処理手段と、
送風装置の起動開始信号に基づいて、予め定めた所定時間以内にロールフィルタを任意の長さ分巻き取って停止するように巻取駆動部に対して制御信号を与える制御信号生成手段と、
を備えることを特徴とするエレベータシステム。
【請求項２】
請求項１に記載のエレベータシステムにおいて、
制御信号生成手段は、
送風装置の起動開始信号を受け取り、かつ、ロールフィルタの清掃作業が未完了であることを示す清掃信号を受け取った場合に予め定めた所定時間以内にロールフィルタを任意の長さ分巻き取って停止するように巻取駆動部に対して制御信号を与えることを特徴とするエレベータシステム。
【請求項３】
請求項１に記載のエレベータシステムにおいて、
ロールフィルタの汚れを検知する検知部を有し、
制御信号生成手段は、
送風装置の起動開始信号を受け取り、かつ、検知部がロールフィルタの汚れを検知した検知信号を受け取った場合に予め定めた所定時間以内にロールフィルタを任意の長さ分巻き取って停止するように巻取駆動部に対して制御信号を与えることを特徴とするエレベータシステム。
【請求項４】
請求項１から請求項３のいずれか１に記載のエレベータシステムにおいて、
送風装置の起動開始信号は、
１年の中における送風装置の連続運転時期のうち最初に送風装置を起動するために出力される信号であることを特徴とするエレベータシステム。
【請求項５】
請求項３に記載のエレベータシステムにおいて、
検知部は、
ロールフィルタのフィルタ面に向かって発光する発光手段と、
発光手段によって発光されてロールフィルタのフィルタ面を通過した光を受光する受光手段と、
受光手段によって受光された受光量に基づいて汚れを検知する検知手段と、
を有することを特徴とするエレベータシステム。
【請求項６】
請求項５に記載のエレベータシステムにおいて、
発光手段は、
赤外線を発光することを特徴とするエレベータシステム。
【請求項７】
請求項３に記載のエレベータシステムにおいて、
検知部は、
送風装置の運転負荷の値が予め定められた負荷の値を超えているか否かを監視する監視手段を有することを特徴とするエレベータシステム。
【発明の詳細な説明】
【技術分野】
【０００１】
本発明は、エレベータシステムに係り、特に、乗りかごの上に設けられる送風装置を備えるエレベータシステムに関する。
【背景技術】
【０００２】
現在、様々な商業施設等においてエレベータシステムが設置されている。エレベータシステムにおいて、乗りかご内の空気を循環させて空調を行うための送風装置が乗りかごの上に設けられることがある。エレベータシステムに設置される送風装置として、例えば、昇降路内の空気を取り込んでフィルタにて濾過した空気を乗りかご内に吹出すためのシロッコファンが用いられていることがある。
【０００３】
本発明に関連する技術として、例えば、特許文献１には、作業機械の運転室のキャブの後部の空調を行うための空調装置用のフィルタ装置として巻き取り式のロールフィルタが開示されている。ここでは、ロールフィルタの巻き取りは、筐体の内部の圧力と筐体の外部の圧力との差圧が設定圧を超えたときに巻き取ることが述べられている。
【先行技術文献】
【特許文献】
【０００４】
【特許文献１】特開２００８−４４４８２号公報
【発明の概要】
【発明が解決しようとする課題】
【０００５】
ところで、エレベータシステムに設けられるシロッコファンの連続運転期間は毎年限られたある一定の時期である。例えば、５〜６月頃の夏場に差し掛かった頃にエレベータシステムを利用している乗客からの要望等により運転を開始し、そのまま連続運転を継続したまま、１０〜１１月頃の冬場に差し掛かった頃に乗客からの要望等により運転を停止する。このように、上記期間からすれば、１１月〜５月までの長期間運転を停止していることとなる。
【０００６】
シロッコファンの長期間運転を停止しているとフィルタに埃が蓄積することがあり、その後に、またシロッコファンの運転再開の時期が来て運転開始を行った場合に、シロッコファンによって取り込まれた空気の風圧によって埃が乗りかご内に落ちて乗りかご内のお客様に迷惑となる可能性がある。そのため、フィルタは適当なタイミングで埃のない状態にされていることが望ましい。
【０００７】
本発明の目的は、送風装置の起動開始のときに埃のない状態のフィルタとすることを可能とするエレベータシステムを提供することである。
【課題を解決するための手段】
【０００８】
本発明に係るエレベータシステムは、乗りかごの上に設けられる送風装置と、一方側から巻き取ることで新しいフィルタ面を繰り出すロールフィルタであって、送風装置によって送風される風を乗りかご内に吹き出す吹出口にそのフィルタ面が設けられるロールフィルタと、ロールフィルタを巻き取るために駆動する巻取駆動部と、送風装置を起動させるための起動開始信号に基づいて、予め定めた所定時間を経過させた後に送風装置を起動させる遅延処理手段と、送風装置の起動開始信号に基づいて、予め定めた所定時間以内にロールフィルタを任意の長さ分巻き取って停止するように巻取駆動部に対して制御信号を与える制御信号生成手段と、を備えることを特徴とする。
【０００９】
また、本発明に係るエレベータシステムにおいて、制御信号生成手段は、送風装置の起動開始信号を受け取り、かつ、ロールフィルタの清掃作業が未完了であることを示す清掃信号を受け取った場合に予め定めた所定時間以内にロールフィルタを任意の長さ分巻き取って停止するように巻取駆動部に対して制御信号を与えることが好ましい。
【００１０】
また、本発明に係るエレベータシステムにおいて、ロールフィルタの汚れを検知する検知部を有し、制御信号生成手段は、送風装置の起動開始信号を受け取り、かつ、検知部がロールフィルタの汚れを検知した検知信号を受け取った場合に予め定めた所定時間以内にロールフィルタを任意の長さ分巻き取って停止するように巻取駆動部に対して制御信号を与えることが好ましい。
【００１１】
また、本発明に係るエレベータシステムにおいて、送風装置の起動開始信号は、１年の中における送風装置の連続運転時期のうち最初に送風装置を起動するために出力される信号であることが好ましい。
【００１２】
また、本発明に係るエレベータシステムにおいて、検知部は、ロールフィルタのフィルタ面に向かって発光する発光手段と、発光手段によって発光されてロールフィルタのフィルタ面を通過した光を受光する受光手段と、受光手段によって受光された受光量に基づいて汚れを検知する検知手段と、を有することが好ましい。
【００１３】
また、本発明に係るエレベータシステムにおいて、発光手段は、赤外線を発光することが好ましい。
【００１４】
また、本発明に係るエレベータシステムにおいて、検知部は、送風装置の運転負荷の値が予め定められた負荷の値を超えているか否かを監視する監視手段を有することが好ましい。
【発明の効果】
【００１５】
上記構成のエレベータシステムによれば、送風装置を起動させるための起動開始信号に基づいて、ロールフィルタを任意の長さ分巻き取ってから送風装置を起動させることができる。これにより、送風装置の起動開始のときに埃のない状態のフィルタ面とすることができる。
【図面の簡単な説明】
【００１６】
【図１】本発明に係る実施の形態において、エレベータシステムの乗りかご内の様子を示す図である。
【図２】本発明に係る実施の形態において、ロールフィルタ部の拡大図である。
【図３】本発明に係る実施の形態において、制御部の各要素を示す図である。
【図４】本発明に係る実施の形態において、シロッコファンの起動を開始させる手順を示すフローチャートである。
【図５】本発明に係る実施の形態において、シロッコファンの起動を開始させる手順を示すフローチャートである。
【発明を実施するための形態】
【００１７】
以下に、本発明に係る実施の形態について添付図面を参照しながら詳細に説明する。また以下では、汚れ検知部は赤外線の受光量に基づいて汚れを判断するものとして説明するが、赤外線以外の可視光線の受光量に基づいて汚れを検知してもよい。
【００１８】
以下では、全ての図面において同様の要素には同一の符号を付し、重複する説明を省略する。また、本文中の説明においては、必要に応じそれ以前に述べた符号を用いるものとする。
【００１９】
図１は、エレベータシステム１０の乗りかご２内の様子を示す図である。エレベータシステム１０は、乗りかご２を移動させるために主ロープ７を巻き上げる巻上機（図示しない）とエレベータ制御盤(図示しない)とが昇降路の最下部であるいわゆるピット内に設置されている。乗りかご２は、乗客４を行き先階まで移動させるためのものであって、かご操作盤８と、かご扉６と、空調部２０とを含んで構成される。
【００２０】
かご操作盤８は、乗りかご２内に設けられ、乗りかご２の行き先を選択する押ボタン８２と、表示パネル８４と、シロッコファン起動停止押ボタン８８と、作業登録押ボタン８９とを含む操作盤である。
【００２１】
シロッコファン起動停止押ボタン８８は、後述するシロッコファン２１の運転開始を要求し、またその運転の停止を要求するための押ボタンである。シロッコファン起動停止押ボタン８８は、通常はカバー等で覆われて隠れた状態で５月〜６月の夏場に差し掛かった頃に現れる押ボタンであり、乗客４等がシロッコファン２１の運転開始を望む場合に押すことがあるため、乗客４が押しやすい高さに配置される。シロッコファン起動停止押ボタン８８を一度押すことで、１年の中におけるシロッコファン２１の連続運転時期のうち最初にシロッコファン２１を起動するために出力される起動開始信号が生成され、その後シロッコファン起動停止押ボタン８８が再びカバー等で覆われて隠れた状態となる。
【００２２】
また、シロッコファン起動停止押ボタン８８は、シロッコファン２１が連続運転期間中である場合に、１０〜１１月頃の冬場に差し掛かった頃に再び現れて、乗客４等に押されることで、シロッコファン２１の運転を停止する信号が生成され、その後シロッコファン起動停止押ボタン８８が再びカバー等で覆われて隠れた状態となる。
【００２３】
作業登録押ボタン８９は、保守作業者が後述するロールフィルタ部２２の清掃作業等のメンテナンスを行った場合に作業記録として登録するための押ボタンである。作業登録押ボタン８９は、メンテナンス時において保守作業者のみが使用する押ボタンであるため、かご操作盤８の裏面に配置されている。作業登録押ボタン８９が押されていない状態のときは、清掃作業が未完了との内容の清掃信号が生成され、作業登録押ボタン８９が押されている状態のときは、清掃作業が完了しているとの内容の清掃信号が生成される。
【００２４】
表示パネル８４は、乗りかご２が昇降路９を移動しているときに現在位置している階床を表示する機能を有する。かご扉６は、乗りかご２が乗客４によって設定された行き先階に到着したときに開閉する扉である。
【００２５】
次に、空調部２０について説明する。空調部２０は、昇降路９内の空気を取り込んだ空気を濾過して吹出口２０４から吹出す機能を有している。
【００２６】
空調部２０は、シロッコファン２１と、ロールフィルタ部２２と、遅延処理部２４と、巻取駆動部２６と、汚れ検知部２７と、制御部２８とを含んで構成される。
【００２７】
シロッコファン２１は、多数の小型の前向き羽根をもった筒と整風器をくみ合わせた多翼ファンである。シロッコファン２１は、乗りかご２の上に、昇降路９の空気を取り込んでロールフィルタ部２２に向かって送風を行うように配置される。
【００２８】
図２は、ロールフィルタ部２２の拡大図である。ロールフィルタ部２２は、シロッコファン２１によって吸い込まれた空気を濾過する機能を有する。ロールフィルタ部２２は、フィルタがロール状に巻回された第１ロール部２２１と第２ロール部２２３と、第１ロール部２２１と第２ロール部２２３との間に位置する矩形形状のフィルタ面２２２とを含んで構成される。そして、ロールフィルタ部２２の一方側である第２ロール部２２３からフィルタ面２２２を巻き取ることで新しいフィルタ面２２２を繰り出すことができる。また、ロールフィルタ部２２は、フィルタ面２２２が吹出口２０４を覆うように配置される。
【００２９】
巻取駆動部２６は、第２ロール部２２３からフィルタ面２２２を、フィルタ面２２２が新しいフィルタ面２２２に完全に入れ替わるのに必要な長さ分だけ巻き取るためのモータである。巻取駆動部２６は、後述する制御部２８によって制御される。
【００３０】
汚れ検知部２７は、ロールフィルタ部２２のフィルタ面２２２の汚れを検知する機能を有する。汚れ検知部２７は、発光部２７１と受光部２７２とを含んで構成される。発光部２７１は、受光部２７２に向けて赤外線を発光する。受光部２７２は、発光部２７１からの赤外線の受光量によりフィルタ面２２２の汚れを検知し、検知信号として出力する機能を有する。なお、汚れ検知部２７は、上記のように赤外線を用いて汚れを検知するものとして説明したが、シロッコファン２１の運転負荷の値が予め定められた負荷の値を超えているか否かを監視する監視し、予め定められた負荷の値を超えている場合にフィルタ面２２２が汚れていると判断するものであってもよい。
【００３１】
再び図１に戻って、遅延処理部２４は、時間の経過をカウントするためのタイマ回路である。具体的に、遅延処理部２４は、シロッコファン２１の起動開始信号を受けてから、上記のフィルタ面２２２が新しいフィルタ面２２２に完全に入れ替わるのに必要な長さ分だけ巻き取るために必要な時間をカウントし、カウントを終了したカウント終了信号を制御部２８に通知する機能を有する。
【００３２】
図３は、制御部２８の各要素を示す図である。制御部２８は、起動開始信号待受Ｉ／Ｆ５２と、巻取作動指令Ｉ／Ｆ５４と、遅延作動指令Ｉ／Ｆ５６と、シロッコファンＩ／Ｆ５８と、汚れ検知部Ｉ／Ｆ６０と、作業登録信号Ｉ／Ｆ６２と、記憶部４０と、ＣＰＵ１００とを含んで構成される。各要素は、内部バスを通じて相互に接続される。かかる制御部２８は、エレベータシステムに適したコンピュータを用いることができる。
【００３３】
起動開始信号待受Ｉ／Ｆ５２は、シロッコファン起動停止押ボタン８８と接続されるインターフェース回路である。巻取作動指令Ｉ／Ｆ５４は、巻取駆動部２６と接続されるインターフェース回路である。遅延作動指令Ｉ／Ｆ５６は、遅延処理部２４と接続されるインターフェース回路である。シロッコファンＩ／Ｆ５８は、シロッコファン２１と接続されるインターフェース回路である。汚れ検知部Ｉ／Ｆ６０は、汚れ検知部２７と接続されるインターフェース回路である。作業登録信号Ｉ／Ｆ６２は、作業登録押ボタン８９と接続されるインターフェース回路である。
【００３４】
ＣＰＵ１００は、起動開始信号待受モジュール１０１と、巻取作動指令モジュール１０２と、遅延作動指令モジュール１０３と、計時待機モジュール１０４と、シロッコファン運転開始モジュール１０５と、巻取判断モジュール１０６とを含んで構成される。これらの各機能は、ソフトウェアを実行することで実現でき、具体的には記憶部４０に記憶されたロールフィルタ清掃プログラムを実行することにより実現できる。また、かかる機能の一部あるいは全部をハードウェアで実現するものとしてもよい。
【００３５】
起動開始信号待受モジュール１０１は、シロッコファン起動停止押ボタン８８からのシロッコファン２１についての起動開始信号を起動開始信号待受Ｉ／Ｆ５２を介して取得したか否かを判断する機能を有する。
【００３６】
巻取作動指令モジュール１０２は、フィルタ面２２２が新しいフィルタ面２２２に完全に入れ替わるのに必要な長さ分だけ巻き取らせて停止させる制御信号を生成し、その制御信号に基いた指令を巻取作動指令Ｉ／Ｆ５４を介し巻取駆動部２６に対して行う機能を有する。
【００３７】
遅延作動指令モジュール１０３は、新しいフィルタ面２２２に完全に入れ替わるのに必要な長さ分だけ巻き取るために必要な時間をカウントさせる指令を遅延作動指令Ｉ／Ｆ５６を介し遅延処理部２４に対して行う機能を有する。また、遅延作動指令モジュール１０３は、遅延処理部２４がカウントを終えた後のカウント終了信号を遅延作動指令Ｉ／Ｆ５６を介して取得する機能を有する。
【００３８】
計時待機モジュール１０４は、遅延作動指令モジュール１０３が遅延処理部２４からのカウント終了信号についての取得状況に応じて、シロッコファン２１の運転開始をさせるか待機させるかを判断する機能を有する。
【００３９】
シロッコファン運転開始モジュール１０５は、計時待機モジュール１０４がシロッコファン２１の運転開始をさせると判断した場合に、シロッコファン２１の運転の開始を行う指令をシロッコファンＩ／Ｆ５８を介しシロッコファン２１に対して行う機能を有する。
【００４０】
巻取判断モジュール１０６は、汚れ検知部２７から汚れ検知部Ｉ／Ｆ６０を介して取得した汚れ検知信号に関する情報と、作業登録押ボタン８９から作業登録信号Ｉ／Ｆ６２を介して取得した清掃信号に関する情報とに基づいて巻取駆動部２６を駆動させるべきか否かを判断する機能を有する。具体的には、作業登録押ボタン８９から作業登録信号Ｉ／Ｆ６２を介して取得した情報がロールフィルタ部２２の清掃作業が未完了であるとの内容の清掃信号である場合、あるいは、汚れ検知部２７からのフィルタ面２２２の汚れを検知した信号を受け取った場合に巻取が必要と判断し、それ以外には巻取が必要ないと判断する。
【００４１】
続いて、上記構成のエレベータシステム１０の作用について、図１〜図４を参照して説明する。ここで、まず図４を用いて、制御部２８において巻取判断モジュール１０６の機能を利用しないでロールフィルタ部２２のメンテナンスを行ってシロッコファン２１を起動させる場合について説明する。図４は、シロッコファン２１の運転を開始させる手順を示すフローチャートである。
【００４２】
まず、ロールフィルタ清掃プログラムがＣＰＵ１００上に展開されて実行される。続いて、シロッコファン２１の起動開始信号が有るか否かが判断される（Ｓ１０）。Ｓ１０の工程は、ＣＰＵ１００の起動開始信号待受モジュール１０１の機能によって実行される。シロッコファン２１の起動開始信号が無い場合は再びＳ１０へと戻る。
【００４３】
シロッコファン２１の起動開始信号が有る場合には、遅延処理部２４は、新しいフィルタ面２２２に完全に入れ替わるのに必要な長さ分だけ巻き取るために必要な時間をカウントさせる指令を遅延作動指令Ｉ／Ｆ５６を介し遅延処理部２４に対して行う（Ｓ１２）。Ｓ１２の工程は、ＣＰＵ１００の遅延作動指令モジュール１０３の機能によって実行される。
【００４４】
そして、フィルタ面２２２が新しいフィルタ面２２２に完全に入れ替わるのに必要な長さ分だけ巻き取らせて停止させるための指令を巻取作動指令Ｉ／Ｆ５４を介し巻取駆動部２６に対して行う（Ｓ１４）。Ｓ１４の工程は、ＣＰＵ１００の巻取作動指令モジュール１０２の機能によって実行される。
【００４５】
さらに、シロッコファン２１の起動開始信号を受けてから、新しいフィルタ面２２２に完全に入れ替わるのに必要な長さ分だけ巻き取るために必要な時間が経過したか否かを判断する（Ｓ１６）。Ｓ１６の工程は、ＣＰＵ１００の計時待機モジュール１０４の機能によって実行される。上記の必要な時間が経過していない場合は、再びＳ１６へと戻る。
【００４６】
上記の必要な時間が経過している場合には、シロッコファン２１を起動して運転を開始する（Ｓ１８）。Ｓ１８の工程は、シロッコファン運転開始モジュール１０５の機能によって実行される。このように、エレベータシステム１０によれば、シロッコファン２１の起動開始信号があった場合にも、必ずロールフィルタ部２２のフィルタ面２２２を新しい面を変えてから、シロッコファン２１を運転させる。これにより、シロッコファン２１の起動開始信号を受けた場合には、埃のない状態のフィルタ面２２２とすることができる。したがって、シロッコファン２１が長期間停止していたままで、夏場等にシロッコファン２１の運転を開始する時期が来て運転を開始した場合にも乗りかご２内に埃を落として、乗客４に迷惑をかけることがなくなる。
【００４７】
次に、図５を用いて、制御部２８において巻取判断モジュール１０６の機能を利用してシロッコファン２１を起動させる場合について説明する。図５は、シロッコファン２１の起動を開始させる手順を示すフローチャートである。
【００４８】
ここで、制御部２８において巻取判断モジュール１０６の機能を利用しない場合の手順との相違は、Ｓ１０とＳ１２との間にＳ１１が存在する点であり、以下では相違点を中心に説明する。
【００４９】
Ｓ１０において、シロッコファン２１の起動開始信号が有ると判断されれば、次に、巻き取りが必要か否か判断される（Ｓ１１）。Ｓ１１の工程は、ＣＰＵ１００の巻取判断モジュール１０６の機能によって実行される。巻き取りが必要ないと判断すれば、Ｓ１８へと進む。巻き取りが必要と判断すれば、制御部２８において巻取判断モジュール１０６の機能を利用しない場合の手順と同様にＳ１２以降の工程について実行される。
【００５０】
このようにエレベータシステム１０の制御部２８において巻取判断モジュール１０６の機能を利用した場合には、フィルタ面２２２が汚れていない場合や既に保守作業員によってメンテナンスされているといったときに、ロールフィルタ部２２において、余分なフィルタ面２２２の繰り出しを抑制することができる。
【符号の説明】
【００５１】
２  乗りかご、４  乗客、６  かご扉、７  主ロープ、８  かご操作盤、９  昇降路、１０  エレベータシステム、２０  空調部、２１  シロッコファン、２２  ロールフィルタ部、２４  遅延処理部、２６  巻取駆動部、２７  検知部、２８  制御部、４０  記憶部、５２  起動開始信号待受Ｉ／Ｆ、５４  巻取作動指令Ｉ／Ｆ、５６  遅延作動指令Ｉ／Ｆ、５８  シロッコファンＩ／Ｆ、６０  汚れ検知部Ｉ／Ｆ、６２  作業登録信号Ｉ／Ｆ、８２  押ボタン、８４  表示パネル、８８  シロッコファン起動停止押ボタン、８９  作業登録押ボタン、１００  ＣＰＵ、１０１  起動開始信号待受モジュール、１０２  巻取作動指令モジュール、１０３  遅延作動指令モジュール、１０４  計時待機モジュール、１０５  シロッコファン運転開始モジュール、１０６  巻取判断モジュール、２０４  吹出口、２２１  第１ロール部、２２２  フィルタ面、２２３  第２ロール部、２７１  発光部、２７２  受光部。
【図１】
2010247935.tif 000003
【図２】
2010247935.tif 000004
【図３】
2010247935.tif 000005
【図４】
2010247935.tif 000006
【図５】
2010247935.tif 000007